(57)【要約】  本願にて開示される例は、ベイルアームを備える装置に関する。例としては、ベイルアームが、第１の位置にて排出ビンの受面に力を加えるようになっている。例としては、モータが、ベイルアームを第１の位置からベイルアームが受面に力を加えない第２の位置に移動させるようになっている。【選択図】図２
2019517971.tif 000002
【特許請求の範囲】
【請求項１】
第１の位置にて排出トレイの受面に力を加えるベイルアームと、
前記ベイルアームを前記第１の位置から前記ベイルアームが前記受面に力を加えない第２の位置に移動させるモータと
を備える装置。
【請求項２】
前記ベイルアームを前記第１の位置から前記第２の位置に移動させるように前記モータからの動力を伝達させるために、前記モータに連結されたギアボックスをさらに備える、請求項１に記載の装置。
【請求項３】
前記ギアボックスは、前記モータからの動力を前記ベイルアームに伝達するために、前記モータに連結された少なくとも１つのギアを備える、請求項２に記載の装置。
【請求項４】
前記ベイルアームに連結された駆動軸であって、前記ベイルアームがこの駆動軸を中心として回転するようになっている、駆動軸をさらに備える請求項１に記載の装置。
【請求項５】
前記ベイルアームが前記受面上に放出される媒体からの力に応じて移動することを可能にするために、前記ベイルアームに連結された部材をさらに備える請求項１に記載の装置。
【請求項６】
前記モータは、前記ベイルアームが前記受面上に放出される媒体からの力に応じて移動するときに、空転するようになっている、請求項４に記載の装置。
【請求項７】
前記モータが直流（ＤＣ）モータである、請求項１に記載の装置。
【請求項８】
第１の位置にて排出トレイの受面に力を加えるベイルアームと、
前記ベイルアームを前記第１の位置から前記ベイルアームが前記受面に力を加えない第２の位置に移動させるモータと、
前記ベイルアームが前記受面上に放出される媒体からの力に応じて移動することを可能にするために、前記ベイルアームに連結された部材と
を備える画像形成装置であって、
前記モータは、前記ベイルアームが前記受面上に放出される媒体からの力に応じて移動するときに、空転するようになっている、画像形成装置。
【請求項９】
前記ベイルアームに連結された駆動軸であって、前記ベイルアームがこの駆動軸を中心として回転するようになっている、駆動軸をさらに備える請求項８に記載の画像形成装置。
【請求項１０】
前記ベイルアームを前記第１の位置から前記第２の位置に移動させるように前記モータからの動力を伝達させるために、前記モータに連結されたギアボックスをさらに備える請求項８に記載の画像形成装置。
【請求項１１】
前記ギアボックスは、前記モータからの動力を前記ベイルアームに伝達するために、前記モータに連結された少なくとも１つのギアを備える、請求項１０に記載の画像形成装置。
【請求項１２】
前記部材は、前記ベイルアームが特定の角度移動したときに前記ギアボックスに係合するようになっている、請求項１０に記載の画像形成装置。
【請求項１３】
前記モータが直流（ＤＣ）モータである、請求項８に記載の画像形成装置。
【請求項１４】
受面の上方にて連結された駆動軸と、
前記駆動軸を中心として回転して第１の位置にて前記受面に力を加えるように連結されたベイルアームと、
前記ベイルアームを前記第１の位置から前記ベイルアームが前記受面に力を加えない第２の位置に移動させるように動力を伝達するために、前記ベイルアームに連結されたギアボックスと、
前記ベイルアームが前記ギアボックスに係合することなく前記受面上に放出される媒体からの力に応じて移動することを可能にするために、前記ベイルアームに連結された部材と
を備える排出トレイアセンブリ。
【請求項１５】
前記部材は、前記ベイルアームが前記駆動軸を中心として特定の角度移動したときに前記ギアボックスに係合するようになっている、請求項１４に記載の排出トレイアセンブリ。
【発明の詳細な説明】
【背景技術】
【０００１】
プリンタ、フィニッシャー、複写機、スキャナ、ファクシミリ、多機能プリンタ、オールインワン装置（オールインワンプリンタ）、又は他の装置を含むシート排出装置は、普通紙、感光紙、透明紙、及び他の媒体を処理し、かかる媒体を排出するようになっている。いくつかの例では、シート排出装置は、幅広かつ薄い媒体に加えて又はそれに代わって、コンパクトディスクのような、金属及びプラスチック媒体の積載物を排出することができる。シート排出装置は、多数のシート媒体を排出トレイ内に排出することができる。
【発明の概要】
【発明が解決しようとする課題】
【０００２】
多数の装置が、シート媒体を回収のための排出ビン又は排出トレイ内に排出するようになっている。排出媒体のサイズは様々である。電子装置が媒体を処理する速度は、上昇してきている。例えば、装置の印刷速度及びスキャニング速度は上昇してきている。その結果、媒体は高速で排出トレイに排出される。かかる媒体を排出トレイの外に飛び出さないように制御すべく、ベイルアーム（bail arm）が用いられてきている。一例として、多数の異なる印刷処理又はスキャニング処理が行われた種々のサイズの媒体が、電子装置によって短時間の内に１つの排出トレイに排出されることがある。しかしながら、ユーザーは、排出された媒体を即座に回収することができない。その結果、ベイルアームを用いて、多量の異なるサイズの媒体を１つの排出トレイ上に押えるようになっている。ベイルアームの寸法は、装置によって排出される最小サイズの媒体を押えるように選択される。しかしながら、このようなベイルアームは、大きなサイズの媒体を排出トレイ上に積載された媒体の下又は上に摺動させることができない。
【課題を解決するための手段】
【０００３】
これらの課題に対処するために、本明細書に記載される例では、排出媒体を押えるベイルアームを備える装置が開示されている。この装置は、媒体が排出トレイ上に放出されることを可能にするためにベイルアームを持ち上げるモータを備えている。このような例では、ベイルアームの寸法は、ベイルアームが種々のサイズの媒体を排出トレイ内に収容するように移動することを可能にすることによって、種々のサイズの媒体を押えるように最適化されるとよい。
【０００４】
以下、図面を参照して、本発明を詳細に説明する。
【図面の簡単な説明】
【０００５】
【図１】一例に係る装置の部分的概略図である。
【図２】一例に係る排出トレイアセンブリを示す図１の装置の部分的概略図である。
【図３】一例に係る図１の装置の部分拡大概略図である。
【図４】一例に係る排出トレイアセンブリの部分的概略背面図である。
【発明を実施するための形態】
【０００６】
以下の記載及び請求項において、「連結する（couple又couples）」という用語は、適切に間接的及び／又は直接的な接続部を含むことが意図されている。従って、もしも第１の構成要素が第２の構成要素に連結されていると記載されているならば、この連結は、例えば、（１）直接的な電気的若しくは機械的な接続部によるものであってもよいし、（２）他の装置及び接続具を介する間接的な電気的若しくは機械的な接続部によるものであってもよいし、（３）光学的・電気的な接続部によるものであってもよいし、（４）無線を介する電気的接続部によるものであってもよいし、並びに／又は（５）他の適切な連結であってもよい。「接続する（connect）又は「接続された（connected）」という用語は、適切な直接的な接続部を含むことが意図されている。
【０００７】
以下、図面を参照すると、図１は、一例に係る装置１０の部分的概略図である。図２は、一例に係る排出トレイアセンブリ１００を示す図１の装置１０の部分的概略図である。図３は、一例に係る図１の装置１０の部分拡大概略図である。図４は、一例に係る排出トレイアセンブリ１００の部分的概略背面図である。例を挙げると、装置１０は、排出トレイ１５と、駆動軸２０と、ベイルアーム４０と、モータ６０と、ギアボックス７０と、部材８０とを備えている。例によれば、ベイルアーム４０は、排出トレイ１５の上方において、排出トレイ１５上に下向き力を加えるように装置１０に連結されている。例によれば、ベイルアーム４０を排出トレイ上の第１の位置５から排出トレイの上方に浮遊する第２の位置７に移動させるために、モータ６０がベイルアーム４０に連結されている。
【０００８】
例えば、装置１０は、排出トレイ上に積載可能な媒体を排出するどのような装置、例えば、画像形成装置、フィニッシャー等であってもよい。「画像形成装置（imaging device）」は、紙、感光性ポリマー、感熱性ポリマー、プラスチック、布、複合物、金属、木材等にグラフィック表示（例えば、テキスト、画像、様式等）を物理的に生成する機能を有するプリンタ、スキャナー、複写機、多機能プリンタ（ＭＦＰ）のようなハードウエア装置又は他のどのような装置であってもよい。いくつかの例では、ＭＦＰは、多数の異なる機能、例えば、印刷、写真複写、スキャニング、ファックス送信等の組合せを行うことができるものであるとよい。例えば、媒体は、装置１０の排出トレイ１５内に積載されるどのような種類の紙、感光性ポリマー、感熱性ポリマー、プラスチック、布、複合物、金属、木材等であってもよい。例を挙げると、装置１０は、媒体経路１７に沿って媒体を排出するようになっているとよい。例えば、媒体経路１７は、装置１０によって放出される媒体のための排出媒体経路又は媒体放出経路であるとよい。例えば、装置１０は、紙を媒体経路１７に沿って排出トレイ１５上に放出するインクジェットプリンタであるとよい。他の例では、装置１０は、媒体を排出トレイ１５上に排出するレーザプリンタであってもよい。
【０００９】
例えば、排出トレイ１５は、装置１０から排出された媒体を受け取るどのような構造体であってもよい。いくつかの例では、排出トレイ１５は、装置１０内に一体化されていてもよい。他の例では、排出トレイ１５は、装置１０に連結される別体の装置であってもよい。例を挙げると、排出トレイ１５は、装置１０から多数のシート又は排出媒体の積載物を受ける表面を備えているとよい。排出トレイ１５に関する種々のパラメータは、装置１０の特定の用途及び設計に対して選択されるよい。例えば、排出トレイ１５の寸法及び向き（姿勢、方位）は、装置１０の大きさ及びシステムの特定の用途によって決定されるとよい。
【００１０】
例を挙げると、排出トレイ１５の受面の上方において、駆動軸２０が装置１０に連結されているとよい。駆動軸２０は軸心２５を備えている。駆動軸２０は、対象物の回転軸となるどのような種類のシャフトであってもよい。いくつかの例では、駆動軸２０は、装置１０にしっかりと連結されてベイルアーム４０を装置１０上にしっかりと保持することを可能にするどのような材料、例えば、金属、プラスチック、複合物、木材等から構成されていてもよい。例えば、ピン５０が駆動軸２０をベイルアーム４０に接続するようになっているとよい。このような例では、ピン５０は、モータ６０からの力をベイルアーム４０に伝達することになる。
【００１１】
いくつかの例では、ベイルアーム４０は、下向き力を排出トレイ１５上に加える表面領域を有するどのような構成要素であってもよい。例を挙げると、ベイルアーム４０は、媒体が媒体経路１７に沿って排出トレイ１５上に移動するときに該媒体と係合又は接触するように構成されているとよい。例えば、ベイルアーム４０は、排出トレイ１５内の媒体に下向き力を加えるように構成されているとよい。いくつかの例では、ベイルアーム４０は、媒体経路１７に沿って移動する媒体に十分な力を加え、この媒体を排出トレイ１５内に保持するようになっているとよい。例えば、ベイルアーム４０は、インクジェットプリンタによって放出された紙を多数の印刷済みページ分が積載された排出アレイ内に保持するのに十分な力を加えるように、構成されているとよい。例を挙げると、ベイルアーム４０は、下向き力を排出トレイ１５上に加えるのに十分な構造的完全性を有するどのような材料から構成されていてもよい。例えば、ベイルアーム４０は、アルミニウムのような金属、鋼のような金属複合物、プラスチック、木材、複合物であって、炭素繊維、炭素強化プラスチック、ガラス充填プラスチック、ガラス充填ナイロン、ガラス充填ポリカーボネート、ガラス充填アクリロニトリロ・ブタジエン・スチレン（ＡＢＳ）のような複合物等から構成されるとよい。ベイルアーム４０に関する種々のパラメータは、装置１０の特定の用途及び設計に対して選択されるとよい。例えば、ベイルアーム４０の寸法及び向きは、装置１０の大きさ、排出トレイ１５上に積載される媒体のサイズ及び向き、排出トレイ１５上への媒体の放出速度、及びシステムの特定の用途によって決定されるとよい。一例では、ベイルアーム４０の寸法は、排出媒体の寸法の変動を可能にするように選択されるとよい。例えば、ベイルアーム４０は、種々のサイズの媒体、例えば、Ａ３媒体又はＡ４媒体に接触するように寸法決めされているとよい。
【００１２】
いくつかの例では、ベイルアーム４０は、軸心２５を中心として回転するようにどのような方法によって駆動軸２０に連結されていてもよい。例を挙げると、ベイルアーム４０は、他の構成要素、例えば、駆動軸２０の下方に配置された排出トレイ１５に接触するまで軸心２５を中心として回転するようになっているとよい。例えば、ベイルアーム４０は、ベイルアーム４０への重力に応じて軸心２５を中心として回転するようになっているとよい。他の例では、ベイルアーム４０は、モータ６０によって与えられる力に応じて軸心２５を中心として回転するようになっていてもよい。このような例では、モータ６０は、ベイルアーム４０を移動させるために、ベイルアーム４０への重力の方向と反対の方向に回転力を与えるようになっているとよい。例を挙げると、モータ６０は、排出トレイ１５の受面と接触しない位置にベイルアーム４０を移動させるようになっているとよい。例えば、モータ６０は、ベイルアーム４０が排出トレイ１５及び排出トレイ１５上の媒体積載物から離れるように、排出トレイ１５の受面の上方の位置にベイルアーム４０を移動させるようになっているとよい。このような例では、センサを用いて、排出トレイ１５上の媒体積載物の高さを測定し、モータ６０がベイルアーム４０を媒体積載物の上方の位置に持ち上げる力を加えるようになっているとよい。例えば、ベイルアーム４０の第１の位置５は、ベイルアーム４０が排出トレイ１５上に配置される位置であるとよい。このような例では、ベイルアーム４０は、第１の位置５において排出トレイ１５の受面に力を加えることになる。例えば、媒体は、第１の位置５において排出トレイ１５の受面上に配置されるとよい。例を挙げると、ベイルアーム４０の第２の位置は、ベイルアーム４０が排出トレイ１５の上方に配置される位置であるとよい。このような例では、ベイルアーム４０は、第２の位置７において受面に力を加えることができない。例えば、媒体は、第２の位置７において排出トレイ１５の受面上に配置されるとよい。例を挙げると、ベイルアーム４０は、排出トレイ１５上に放出される媒体の種々のパラメータ、例えば、サイズ、向き、インク密度等に応じて、第１の位置から第２の位置７に移動するようになっているとよい。このような例では、計算リソースが、いつベイルアーム４０を移動させるかを決定するようになっているとよい。
【００１３】
いくつかの例では、モータ６０は、エネルギーを機械的エネルギーに変換するどのような機械であってもよい。例えば、モータ６０は、ベイルアーム４０を移動させる力を与えるように構成された電動モータ、空圧モータ、ゼンマイモータ等であるとよい。例えば、モータ６０は、ベイルアーム４０を移動させる力を与えるように構成された装置１０の別の構成要素であってもよい。他の例では、モータ６０は、装置１０の他の構成要素の一部であってもよい。例を挙げると、モータ６０は、バッテリ、自動車、若しくは整流器による直流（ＤＣ）源によって、又は電源グリッド、インバータ、若しくは発電機による交流（ＡＣ）源によって電力供給されるとよい。
【００１４】
例を挙げると、モータ６０によって供給される力をベイルアーム４０に伝達するために、ギアボックス７０がモータ６０に連結されているとよい。例えば、ギアボックス７０は、モータ６０からの動力をベイルアーム４０に伝達するために、１つ又は複数のギア及び／又はギア列を備えているとよい。例を挙げると、ギアボックス７０は、ベイルアーム４０へのモータ６０からの動力の印加を制御するように構成されているとよい。例えば、ギアボックス７０は、ベイルアーム４０を第１の位置から第２の位置に移動させるようにモータ６０からの動力をベイルアーム４０に伝達するために、モータ６０に連結されているとよい。このような例では、ギアボックス７０は、ベイルアーム４０を軸心２５を中心として第１の位置から第２の位置に回転させるために、モータ６０からの速度及び／又はトルクを変換するようになっているとよい。
【００１５】
例を挙げると、ベイルアーム４０は、媒体経路１７に沿って排出トレイ１５の受面上に放出される媒体からの力に応じて移動するようになっているとよい。例えば、ベイルアーム４０が媒体経路に沿って排出トレイ１５の受面上に放出される媒体からの力に応じて移動することを可能にするために、部材８０がベイルアーム４０に連結されているとよい。例えば、モータ６０は、ベイルアーム４０が排出トレイ１５の受面上に放出される媒体からの力に応じて移動するときに、空転するようになっているとよい。例を挙げると、部材８０は、ベイルアーム４０が軸心２５を中心として特定の角度まで自在に回転することを可能にするように、構成されているとよい。例えば、部材８０は、ベイルアーム４０が特定の角度を超えて回転したときに、ギアボックス７０と係合するように構成されるとよい。このような例では、特定の角度は、軸心２５を中心とする９０°の範囲内にあるとよい。一例では、部材８０は、ベイルアーム４０が特定の角度を超えて回転したときに、ベイルアーム４０がギアボックス７０に係合することを可能にするようになっているとよい。例えば、部材８０は、ベイルアーム４０が特定の角度を超えて回転したときにモータ６０と係合するように配置された１つ又は複数のリブを備えているとよい。このような例では、部材８０のリブは、ベイルアーム４０がベイルアーム４０への重力による回転力と反対方向において特定の角度を超えて回転したときに、ギアボックス７０に係合するようになっているとよい。例を挙げると、作動中に、部材８０は、ベイルアーム４０がモータ６０又はギアボックス７０にどのような力も与えることなく排出トレイ１５上に放出される媒体から受ける力に応じて移動することを可能にするようになっているとよい。このような例では、モータ６０及びギアボックス７０は、媒体経路１７に沿って放出される媒体からベイルアーム４０に加えられる回転力に対抗するどのような力も与えることができないことになる。
【００１６】
例を挙げると、作動中、ベイルアーム４０は、排出トレイ１５上に放出される媒体積載物に下向き力を与えるように、駆動軸２０を中心として回転するようになっているとよい。モータ６０は、媒体が排出トレイ１５上に放出されることを可能にするために、ベイルアーム４０を移動させるようになっているとよい。例えば、部材８０は、ベイルアーム４０が排出トレイ１５上に放出される媒体からの力に応じて自在に回転することを可能にするようになっているとよい。このような例では、ベイルアーム４０は、排出トレイ１５上の媒体積載物の上方の位置に持ち上げられながら、駆動軸２０を中心として自在に回転するようになっているとよい。このような例では、モータ６０は、長い媒体がベイルアーム４０の下方を摺動するための間隙がベイルアーム４０と排出トレイ１５との間に確保されかつベイルアーム４０が放出された媒体に接触することができる位置まで、ベイルアーム４０を持ち上げ、排出トレイ１５の上方に浮遊させることができる。例えば、ベイルアーム４０の寸法は、種々のサイズの媒体を押えるために最適化されるとよい。例を挙げると、ベイルアーム４０は、ユーザーが排出トレイ１５から媒体を回収するためのアクセスを容易にする（排出トレイ１５の上方の）位置に移動されるようになっていてもよい。
【００１７】
いくつかの例を示し、かつ説明してきたが、形態及び細部の種々の変更がなされてもよい。例えば、１つの例に関して記載したいくつかの特徴及び／又はプロセスは、他の例に関連付けられてもよい。換言すれば、１つの例に関して記載したプロセス、特徴部、構成要素、及び／又は特性は、他の例においても有用である。さらに、本明細書に記載したシステム、装置、及び方法は、記載した異なる例の種々の構成要素及び／又は特徴部の種々の組合せ及び／又は準組合せを含むことができることを理解されたい。従って、１つ又は複数の例を参照して記載した特徴は、本明細書に記載した他の例と組み合わされてもよいことになる。
【００１８】
前述の説明は、本開示の原理及び種々の実施形態の例示にすぎないことが意図されている。当業者であれば、前述の開示を十分に理解したなら、多くの変更及び修正が明らかになるだろう。以下の請求項は、このような変更及び修正の全てを包含するように解釈されることが意図されている。
【図１】
2019517971.tif 000003
【図２】
2019517971.tif 000004
【図３】
2019517971.tif 000005
【図４】
2019517971.tif 000006
【国際調査報告】
2019517971.tif 000007